(57)【特許請求の範囲】
【請求項１】
水が内部を通過するようにして水質を改善する水質改善器の取入口に外部から水を取り込む入水路を接続し、同水質改善器の取出口に外部に水を送り出す出水路を接続し、前記入水路と前記出水路をバイパスするバイパス水路を設け、同バイパス水路の途中にバイパス量を調整する流量調整バルブを設け、前記バイパス水路の分岐より下流側の入水路の途中に上流側バルブを設け、前記バイパス水路の分岐より上流側の出水路の途中に下流側バルブを設け、水質改善器で処理した水と処理しない原水を所定の比率で混合して取り出せるようにし、入水路又は出水路に水を装置外部に排出するための排水路を接続し、同排水路の途中に排出バルブを設け、水質改善器を上下に長い円筒形状にして下方にその取入口及び排水路がくるように及び上方にその取出口がくるように配置し、しかも入水路の取入部継手と出水路の取出部継手とが同じ側にあるように配置し、入水路及び出水路の水質改善器に接続する部分を管形状とし、入水路及び出水路の管端部分の外周に係合部を設け、管状で一方の端に内鍔を備えた取付金具を設け、同取付金具の内部に入水路及び出水路の管端部分を挿入し、入水路及び出水路の管端部分の係合部と取付金具の内鍔を係合させ、取付金具の内鍔を設けた側と反対側の一端が入水路及び出水路の管端部分より突出するようにして取付金具を取り付け、入水路及び出水路の管端部分と水質改善器の取入口及び取出口を間に環状のパッキンを挾むようにして突き合わせ、前記取付金具の内周を水質改善器の取入口及び取出口に螺着するようにして水質改善器を入水路及び出水路に脱着自在に取り付けるようにし、取入口と入水路及び取出口と出水路の接続を脱着自在な接続にして上流側バルブ及び下流側バルブを閉じて水質改善器の交換及び補修が容易に行えるようにした水質改善装置。
【請求項２】
水質改善器が、脱塩力を有する浄水器である請求項１に記載の水質改善装置。  
【発明の詳細な説明】
【０００１】
【発明の属する技術分野】
本発明は、水道水の塩素やさび、にごりなどの不純物・有害物を除去したり、水のクラスターを小さくして活性化を行うなどの水質の改善を行う水質改善装置に関する。
【０００２】
【従来の技術】
浄水器や活性器によって水を浄化又は活性化して用いることは、用いる人にとって非常に好ましいことである。
従来において、特に浄水器においては濾過を行って不純物・有害物を除去するため、年月とともに性能が低下するためにメンテナンスや交換の必要があり、使用する人のコスト負担が大きかった。また、浄水器又は活水器の洗浄を行うには、設置した装置から取りはずさなければならなかった。
また水を人体等に関係ないことに使用する場合や、使用したい時間帯、季節等に対応して使用・不使用を切換えたり、使用した水と不使用の水を混合する必要があった。
【０００３】
【発明が解決しようとする課題】
本発明が解決しようとする課題は、従来のこれらの問題点を解消し、水質改善器の交換及び補修が容易に行うことができ、水質改善器で処理した水と処理しない原水を所定の比率で混合して取り出させるようにした水質改善装置を提供することにある。
【０００４】
【課題を解決するための手段】
かかる課題を解決した本発明の構成は、
１）  水が内部を通過するようにして水質を改善する水質改善器の取入口に外部から水を取り込む入水路を接続し、同水質改善器の取出口に外部に水を送り出す出水路を接続し、前記入水路と前記出水路をバイパスするバイパス水路を設け、同バイパス水路の途中にバイパス量を調整する流量調整バルブを設け、前記バイパス水路の分岐より下流側の入水路の途中に上流側バルブを設け、前記バイパス水路の分岐より上流側の出水路の途中に下流側バルブを設け、水質改善器で処理した水と処理しない原水を所定の比率で混合して取り出せるようにし、入水路又は出水路に水を装置外部に排出するための排水路を接続し、同排水路の途中に排出バルブを設け、水質改善器を上下に長い円筒形状にして下方にその取入口及び排水路がくるように及び上方にその取出口がくるように配置し、しかも入水路の取入部継手と出水路の取出部継手とが同じ側にあるように配置し、入水路及び出水路の水質改善器に接続する部分を管形状とし、入水路及び出水路の管端部分の外周に係合部を設け、管状で一方の端に内鍔を備えた取付金具を設け、同取付金具の内部に入水路及び出水路の管端部分を挿入し、入水路及び出水路の管端部分の係合部と取付金具の内鍔を係合させ、取付金具の内鍔を設けた側と反対側の一端が入水路及び出水路の管端部分より突出するようにして取付金具を取り付け、入水路及び出水路の管端部分と水質改善器の取入口及び取出口を間に環状のパッキンを挾むようにして突き合わせ、前記取付金具の内周を水質改善器の取入口及び取出口に螺着するようにして水質改善器を入水路及び出水路に脱着自在に取り付けるようにし、取入口と入水路及び取出口と出水路の接続を脱着自在な接続にして上流側バルブ及び下流側バルブを閉じて水質改善器の交換及び補修が容易に行えるようにした水質改善装置
２）  水質改善器が、脱塩力を有する浄水器である前記１）に記載の水質改善装置  
にある。
【０００５】
【作用】
本発明では、入水路を通して原水を浄水器に送り込む。水質改善器で処理された水は出水路に送られる。入水路と出水路にはバイパス水路を設けているので、出水路には入水路から原水も流れ込み、水質改善器で処理された水と原水は混合した状態で出水路を通って装置外部に送り出される。バイパス水路には、流量調整バルブを設けているので、原水がバイパス水路を通る流量を調整することで処理した水と原水を所定の比率で混合して装置外部に取り出すことができる。さらに上流側バルブと下流側バルブを閉じることによって、水質改善器内に水が流れないようにして、脱着自在な水質改善器を容易に取りはずして交換、補修を行うことができる。
入水路又は出水路に水を装置外部に排出するための排水路を接続し、排水路の途中に排出バルブを設けたものは、上流側バルブと下流側バルブを閉じて水質改善器内に水が流れないようにして、水質改善器を取りはずす際に、排出バルブを開いて、排水路から水質改善器内の水を排出して取りはずすことができる。
入水路及び出水路の接続部分を管形状にして、水質改善器の取入口、取出口に対してパッキンを挾むようにして取り付けるものは、入水路及び出水路の管形状の管端部分と水質改善器の取入口及び取出口を間にパッキンを挾むようにして突き合わせるようにして水密性を確保し、入水路及び出水路の管端部分より突出させた取付金具を水質改善器の取入口及び取出口に螺着するようにして水質改善器を脱着自在にする。
水質改善器が浄水器であるものは、浄水器の脱塩力によって塩素を除去した水を取り出すことができる。
水質改善器が活水器であるものは、活水器によって活性化した水を取り出すことができる。
水質改善器が浄活水器であるものは、脱塩力によって塩素を除去し、活性化した水を取り出すことができる。
【０００６】
【発明の実施の形態】
本発明の水質改善装置は、水道水だけでなく、井戸水などに用いてもよく、また工場用水に用いて赤さびの防止などに用いてもよい。
水質改善装置の浄水器及び浄水部で濾過に用いているものとしては、砂、石、活性炭、フィルタなどがあり、浄水能力が高く長期間使用できるものが望ましい。
水質改善装置の活水器及び活水部に用いるものとしては、トルマリン石、セラミック、麦飯石、磁石などがあり、活性化能力が高く長期間使用できるものが望ましい。
【０００７】
【実施例】
本発明の各実施例について、図面を参照して具体的に説明する。
図１〜４に示すのは、水質改善器として用いた浄活水器の取入口に入水路を接続し、浄活水器の取出口に出水路を接続し、バイパス水路、入水路及び出水路の途中に流量調整バルブ、上流側バルブ及び下流側バルブを設け、入水路及び出水路を管形状にし、パッキンを挾むように突き合わせて、取付金具を螺着させて浄活水器を入水路及び出水路に脱着自在に取り付けるようにした水質改善装置の例である。
図１は実施例の水質改善装置の正面図である。図２は実施例の水質改善装置の説明図である。図３は実施例の水質改善装置の一部拡大断面図である。図４は実施例の水質改善装置の一部拡大断面図である。
図中、１は水質改善装置、２は浄活水器として用いた浄化活性化タンク、２ａは浄水部、２ｂは活性部、２ｃは取入口、２ｄは取出口、３は取入部継手、４は取出部継手、５ａ，５ｂは二方向継手、５ｃ，５ｄは三方向継手、６は入水路、６ａ，６ｂ，６ｃは入水路として用いた管路部分、７はタンク取付具、７ａは内鍔、８は圧力計、９は排水路、９ａは管路部分、９ｂは排水ドレン、１０はカバー、１１ａは上流側バルブ、１１ｂは流量調整バルブ、１１ｃは下流側バルブ、１２は排出バルブとして用いた排水バルブ、１３は出水路、１３ａ，１３ｂ，１３ｃは管路部分、１４はバイパス水路、１４ａは管路部分、１５はパッキン、１６は係合部である。
実施例では、タンク内に浄水部２ａと活性部２ｂを設けている。浄化活性化タンク２はステンレス製で上下に長い円筒形状になっており、上下端は絞った形状にして下方の開口部を取入口２ｃ、上方の開口部を取出口２ｄとしている。この浄化活性化タンク２の内部の下部に、砂や活性炭などをフィルターで仕切って上下に多層に設けて浄水部２ａを構成し、この浄化活性化タンク２の内部の浄水部２ａの上方にセラミック、麦飯石、磁石を用いた磁場活性部をフィルターで仕切って上下に多層に設けて活性部２ｂを構成する。
次に、金属製で箱形のカバー１０の内部に浄化活性化タンク２を配置し、浄化活性化タンク２の下端の取入口２ｃに短い管材の管路部分６ａを取り付ける。浄化活性化タンク２の下端部分の取入口２ｃ部分は、径を細くした管形状にし、外周にねじ部を設けている。管路部分６ａの上端部分の外周には、ねじ部を設ける。次に、管形状のタンク取付具７を設け、下端に内鍔７ａを設ける。さらにタンク取付具７の上部内周には、ねじ部を設ける。このタンク取付具７の内鍔７ａの内穴を管路部分６ａの上端が通過するようにし、管路部分６ａの上端部外周に係合部１６を螺着で取り付ける。これによって、タンク取付具は、管路部分６ａに対しその外側で上下に移動できるようになり、上方は、内鍔７ａが係合部に当たるまでが移動可能範囲となる。タンク取付具７を上方に移動させて、内鍔７ａが係合部に当たった状態では、タンク取付具７が管路部分６ａの外側から上方に突出した状態となる。管路部分６ａの上端と係合部１６の上端は、同じ高さにしているので、この環状部分に環状のパッキン１５を載せ、管路部分６ａの上端及び係合部１６と浄化活性化タンク２の取入口２ｃの下端とで突き合わせるようにしてパッキン１５を挾む。次に管路部分６ａの上端の外側から上方に突出したタンク取付具７の上部内周を浄化活性化タンク２の取入口２ｃの外周に螺着させて取り付ける。これによってパッキン１５は圧縮された状態で保たれるので、取入口２ｃと管路部分６ａとの接続部分の水密性が十分に確保される。さらにねじ部の螺着により脱着自在となる。次に管路部分６ａの下方に上方から左右に分岐する三方向継手５ｃを取り付ける。三方向継手５ｃの右方向に分岐した一端に短い管路部分６ｂを取り付け、さらに管路部分６ｂの右管端に上流側バルブ１１ａを取り付ける。次に上流側バルブ１１ａの右側端に短い管路部分６ｃを取り付ける。次に管路部分６ｃの右管端に上方から左右に分岐する三方向継手である取入部継手３の左側に分岐した端を取り付ける。次に取入部継手３の上方に分岐した端に上下に長い管路部分１４ａの下端を取り付け、管路を上方に伸ばすようにする。次に管路部分１４ａの上端に流量調整バルブ１１ｂを取り付ける。次に流量調整バルブ１１ｂの上方端に右側から上下に分岐する三方向継手である取出部継手４の下方に分岐した端を取り付ける。取出部継手４の上方に分岐した端に上下に長い管路部分１３ａの下端を取り付ける。管路部分１３ａの上端には、管路を左方向に略直角にターンさせる二方向継手５ａを取り付ける。次に二方向継手５ａの左側にターンした端に短い管路部分１３ｂを取り付け、管路部分１３ｂの左側管端に下流側バルブ１１ｃを取り付ける。次に下流側バルブ１１ｃの左側端に管路方向に下端にターンさせる二方向継手５ｂを取り付ける。下方にターンさせた二方向継手５ｂの下端には、短い管路部分１３ｃを取り付ける。次に管路部分１３ｃの下端部分の外周にはねじ部を設ける。次にタンク取付具７を内鍔７ａが上方に位置するようにして、内鍔７ａの内穴を管路部分１３ｃの下端が通過するようにし、管路部分１３ｃの下端部外周に係合部１６を螺着で取り付ける。これによってタンク取付具７は、管路部分１３ｃに対しその外側で上下に移動できるようになり、下方は内鍔７ａが係合部１６に当たるまでが移動可能範囲となる。浄化活性化タンク２の上端の取出口２ｄ部分は径を細くした管形状にし、外周にねじ部を設けている。この取出口は２ｄの上端部分に環状のパッキン１５を載せ、管路部分１３ｃの下端及び係合部１６と浄化活性化タンク２の取出口２ｄの上端とで突き合わせるようにしてパッキン１５を挾む。次に、管路部分１３ｃの外側から下方に突出したタンク取付具７の下部内周を浄化活性化タンク２の取出口２ｄの外周に螺着させて取り付ける。これによってパッキン１５は圧縮された状態で保たれるので、取出口２ｄと管路部分１３ｃとの接続部分の水密性が充分に確保される。さらにねじ部の螺着のため脱着自在となる。
【０００８】
次に三方向継手５ｃの左方向に分岐した一端に短い管路部分９ａを取り付ける。次に管路部分９ａの左側管端に上方から左右に分岐した三方向継手５ｄの右側に分岐した端部を取り付け、三方向継手５ｄの上方に分岐した端には圧力計８を取り付ける。次に、三方向継手５ｄの左側に分岐した端部に排水バルブ１２を取り付ける。
箱形状のカバー１０は、前面が開閉できる扉になっており、取入部継手３と取出部継手４の右方向に分岐したそれぞれの端部が外部に露出するように開口部を設け、排水バルブ１２の端部分がカバー１０の左側面から突出するように開口部を設ける。さらに排水バルブ１２の左端には、管路を下方に折曲した排水ドレン９ｂを取り付ける。
上流側バルブ１１ａ、流量調整バルブ１１ｂ、下流側バルブ１１ｃ、排水バルブ１２は、全閉〜全開までの流量調整が可能なバルブを使用している。
【０００９】
本実施例の水質改善装置１を使用するには、水道水が家庭に送られる配管の途中に水質改善装置１を接続する。水道水が送られる配管を取入部継手３の右方向つまり装置外部に向って分岐させた端に接続する。さらに取出部継手４の右方向つまり装置外部に向って分岐させた端には、水質改善装置１で処理した処理水を家に送る配管を接続する。
上水道より送られてくる水道水は取入部継手３より水質改善装置１の配管内に送られる。上流側バルブ１１ａ及び下流側バルブ１１ｃは全開状態にし、排水バルブ１２は全閉状態にしておく。
まず、家に送る水を浄化活性化水と水道水を混合した水にしたい場合、及び水質改善装置１を設置した場所によって法令により塩素を残留させなければならないが、その塩素の濃度を小さくしたいような場合には、流量調整バルブ１１ｂの開度を調整することによって、流量調整バルブ１１ｂのバルブ部分の管路断面積を変更し、流量調整バルブ１１ｂを通過する処理しない水道水の流量を調整する。これによって浄化活性化タンク２に向かう水道水と流量調整バルブ１１ｂを通過する水道水の流量の比率を変えることができる。浄化活性化タンク２に向かった水道水は、浄化活性化タンク２の下方の取入口２ｃより内部に流れ込む。浄化活性化タンク２の下部の浄水部２ａを通る水道水は、濾材として用いられた砂、活性炭、フィルターによって濾過されることによって塩素、さび、にごりなどの不純物・有害物が除去されて浄化水となる。さらにこの浄化水は、浄化活性化タンク２の上部の活性部２ｂを通過してセラミック、麦飯石、磁場活性部によって、電気磁気的作用により活性化した活性化水となる。
このようにして浄化活性化タンク２を通過することにより浄化活性化された浄化活性化水は浄化活性化タンク２の上端の取出口２ｄから下流側バルブ１１ｃを通過して管路部分１３ａを通って取出部継手４に向かう。取出部継手４は、右側方向より上下に分岐しており、その上方から浄化活性化タンク２で処理された浄化活性化水が流れ込み、下方からは処理しない水道水が流れ込む。よって取出部継手４の内部で浄化活性化水と水道水が混合されて、この混合したものが取出部継手４の右側の端部より家の内部に向かう配管内に流れて行く。よって、このようにして家の内部で使用される水の塩素の濃度を小さくし、他の不純物・有害物を少なくすることによって、非常に人体に好ましい水として使用でき、健康に役立てることができる。
【００１０】
次に、水道水を処理せずに家の内部に流したい場合には、流量調整バルブ１１ｂを全開にし、上流側バルブ１１ａ及び下流側バルブ１１ｃを全閉の状態にすることにより水は浄化活性化タンク２を通過することがなくなり、管路部分１４ａ、流量調整バルブ１１ｂを通過して水道水がそのまま取出部継手４より家の内部に流れるようになる。よって浄化活性化水を必要としない場合などに使い分けを行うことができる。
【００１１】
さらに、法令等の問題がなく浄化・活性化機能を十分に発揮させた浄化活性化水を家の内部に流したい場合には、流量調整バルブ１１ｂを全閉状態にし、上流側バルブ１１ａ及び下流側バルブ１１ｃを全開状態にして取入部継手３から流れ込んだ水道水がすべて浄化活性化タンク２を通過するようになる。これによって家の内部に流す水を効果高く不純物・有害物を除去し、活性化させた浄化活性化水にすることができる。
また、圧力計８を浄化活性化タンク２の上流側に設けていることによって浄化活性化タンク２が何らかの原因で水の通過量で減るような異常が発生した場合には上流の圧力ですぐに異常が認識できるようにしている。
本実施例の水質改善装置１の浄化活性化タンク２が長い期間使用したことなどによって、通過できる流量が低下した場合には、まず、流量調整バルブ１１ｂを全開にする。この際に上流側バルブ１１ａ及び下流側バルブ１１ｃは全開になっている。次に上流側バルブ１１ａを全閉にし、排水バルブ１２を全開にする。これによって、入水路６によって装置内に取り込まれた水道水は、上流側バルブ１１ａを全閉にしたことにより全部がバイパス水路１４を通り、その一部が取出部継手４から出水路１３を逆流して浄化活性化タンク２の取出口２ｄに向かい、残りは取出部継手４から装置外に取り出されて家の内に向かう。出水路１３を逆流して浄化活性化タンク２の取出口２ｄに向かった水道水は浄化活性化タンク２の取出口２ｄから取入口２ｃに向って浄化活性化タンク２を逆流し、取入口２ｃから管路部分６ａを通って三方向継手５ｃに向かう。浄化活性化タンク２の内部で水道水を逆流させることによって、もとの流れで浄化活性化タンク２内に蓄積された不純物などを洗い流すことができる。このようにして洗い流した水は、三方向継手５ｃから排水路９を通り、排水ドレン９ｂから装置外部に排出される。このように本実施例１の水質改善装置１は浄化活性化タンク２の内部を逆流させた水によって洗浄することができる。よって、非常に長い期間使用できるようになる。よってメンテナンス間隔が長くなったり、浄化活性化タンク２の交換の間隔が長くなったりするので使用コストを非常に抑えることができる。
【００１２】
次に、水質改善装置１の浄化活性化タンク２を水質改善装置から取りはずしてメンテナンス作業等を行うには、まず、流量調整バルブ１１ｂを全開にする。この際に上流側バルブ１１ａ及び下流側バルブ１１ｃは全開にし、排水バルブ１２は全閉にする。次に、上流側バルブ１１ａ及び下流側バルブ１１ｃを全閉にする。これによって取入部継手３から装置内に流れてくる水はバイパス水路１４を通って取出部継手４から装置の外部に流れ、取り出される。
このように上流側バルブ１１ａ及び下流側バルブ１１ｃを全閉にして浄化活性化タンク２内に水が流れないようにしたならば、排水バルブ１２を全開にし浄化活性化タンク２内の水を排水路９から排出する。これによって浄化活性化タンク２内の水を抜くことができる。次に、浄化活性化タンク２の上下端の取入口２ｃ，取出口２ｄ部分に取り付けたタンク取付具７を回転させて螺着を解除する。これによって入水路６及び出水路１３と浄化活性化タンク２との係合部分はなくなるので、浄化活性化タンク２を横にズラすようにして取り外せばよい。この際には、浄化活性化タンク２内の水及び上流側バルブ１１ａと下流バルブ１１ｃより排水路９側の配管内の水が抜いてあるので、浄化活性化タンク２は軽くなっているので作業を行ないやすく、また、浄化活性化タンク２を取り外した場合に配管内や浄化活性化タンク２内の水が作業者にかかってしまうようなことがない。
このように本実施例の水質改善装置は、浄化活性化タンク２の取り外し、取り付けが容易で、浄化活性化タンク２の交換及び補修が容易に行える。
【００１３】
図５，６に示すのは、実施例の水質改善装置の他の例である。
図中、１７は浄水器、１８は活水器である。
実施例の他の例では、水質改善器として浄水器又は活水器を用いている。このように水質改善器としては、使用する人に対して良好な水質にするものであればどのようなものを用いてもよい。
その他、符号、構成、作用、使い方は実施例１と同じである。
【００１４】
【発明の効果】
本発明によれば、水質改善器の交換及び補修が行うことができ、水質改善器で処理した水と処理しない原水を所定の比率で混合して取り出せるようにできる。
入水路又は出水路に水を装置外部に排出するための排水路を接続し、排水路の途中に排出バルブを設けたものは、水質改善器内や入水路及び出水路の一部の水を抜いてさらに水質改善器の交換及び補修を行ないやすくし、また、水質改善器内を水が逆流するようにして洗浄し、洗浄した水を装置外に排出できるようにする。
入水路及び出水路の接続部分を管形状にして、水質改善器の取入口、取出口に対してパッキンを挾むようにして取り付けるものは、確実に水密性を有するように取り付けることができ、さらに容易に取り外し・取り付けが行えるようにできる。
水質改善器が浄水器であるものは、塩素を取り除いた水を使用でき人体の健康にさらに役立てることができる。
水質改善器が活水器であるものは、人体に対し良いとされている活性化水を使用でき、さらに人体の健康に役立てることができる。
水質改善器が浄活水器であるものは、塩素を取り除いた水を使用でき、人体に対し良いとされている活性化水を使用でき、さらに人体の健康に役立てることができる。
【図面の簡単な説明】
【図１】実施例の水質改善装置の正面図である。
【図２】実施例の水質改善装置の説明図である。
【図３】実施例の水質改善装置の一部拡大断面図である。
【図４】実施例の水質改善装置の一部拡大断面図である。
【図５】実施例の水質改善装置の他の例の概略図である。
【図６】実施例の水質改善装置の他の例の概略図である。
【符号の説明】
１  水質改善装置
２  浄化活性化タンク
２ａ  浄水部
２ｂ  活性部
２ｃ  取入口
２ｄ  取出口
３  取入部継手
４  取出部継手
５ａ  二方向継手
５ｂ  二方向継手
５ｃ  三方向継手
５ｄ  三方向継手
６  入水路
６ａ  管路部分
６ｂ  管路部分
６ｃ  管路部分
７  タンク取付具
７ａ  内鍔
８  圧力計
９  排水路
９ａ  管路部分
９ｂ  排水ドレン
１０  カバー
１１ａ  上流側バルブ
１１ｂ  流量調整バルブ
１１ｃ  下流側バルブ
１２  排水バルブ
１３  出水路
１３ａ  管路部分
１３ｂ  管路部分
１３ｃ  管路部分
１４  バイパス水路
１４ａ  管路部分
１５  パッキン
１６  係合部
１７  浄水器
１８  活水器
【図１】
0004420524.tif 000002
【図２】
0004420524.tif 000003
【図３】
0004420524.tif 000004
【図４】
0004420524.tif 000005
【図５】
0004420524.tif 000006
【図６】
0004420524.tif 000007